(57)【要約】【課題】一対のヘッダ集合管と扁平管を備えた熱交換器において、各扁平管へ流入する気液二相状態の冷媒の湿り度を平均化する。【解決手段】室外熱交換器（23）の第１ヘッダ集合管（60）には、三つの連通室（62a〜62c）と一つの混合室（63）とが形成される。二枚の主横仕切板（80a,80b）の間に一枚の副横仕切板（85a）が設けられる。混合室（63）は、第１主横仕切板（80a）と副横仕切板（85a）の間に形成される。蒸発器として機能する室外熱交換器（23）へ供給された気液二相状態の冷媒は、混合室（63）へ流入し、その後に三つの連通室（62a〜62c）へ分配される。【選択図】図５
2014228199.tif 000002
【特許請求の範囲】
【請求項１】
複数の扁平管（32）と、各扁平管（32）の一端が接続された第１ヘッダ集合管（60）と、各扁平管（32）の他端が接続された第２ヘッダ集合管（70）と、上記扁平管（32）に接合された複数のフィン（36）とを備え、
上記扁平管（32）を流れる冷媒を空気と熱交換させることによって蒸発器として機能し得る熱交換器であって、
上記第１ヘッダ集合管（60）及び上記第２ヘッダ集合管（70）は、起立した状態であり、
上記第１ヘッダ集合管（60）には、該第１ヘッダ集合管（60）へ気液二相状態の冷媒を導入するための配管が接続される一つの接続口（66）が形成される一方、
上記第１ヘッダ集合管（60）は、
該第１ヘッダ集合管（60）の内部空間を横断し、一つ又は複数の上記扁平管（32）がそれぞれに連通する複数の連通室（62a〜62c）を形成する主横仕切板（80a,80b）と、
該第１ヘッダ集合管（60）の内部空間を縦断し、上記接続口（66）と全ての上記連通室（62a〜62c）とに連通する混合室（63）を形成する縦仕切板（90）と、
上下に隣り合う主横仕切板（80a,80b）の間に配置されて該第１ヘッダ集合管（60）の内部空間を横断し、上記縦仕切板（90）と共に上記混合室（63）を形成する副横仕切板（85a）とを備えている
ことを特徴とする熱交換器。
【請求項２】
請求項１において、
上記混合室（63）の高さは、上記縦仕切板（90）を挟んで該混合室（63）と隣り合う上記連通室（62b）の高さよりも低い
ことを特徴とする熱交換器。
【請求項３】
請求項１又は２において、
上記縦仕切板（90）は、上記第１ヘッダ集合管（60）の中心軸（64）を基準に上記扁平管（32）とは逆側に配置されている
ことを特徴とする熱交換器。
【請求項４】
請求項１乃至３のいずれか一つにおいて、
上記混合室（63）は、上記縦仕切板（90）と、該混合室（63）の上側と下側の一方に配置された一つの上記主横仕切板（80a）と、該混合室（63）の上側と下側の他方に配置された一つの上記副横仕切板（85a）とによって上記連通室（62a〜62c）から仕切られている
ことを特徴とする熱交換器。
【請求項５】
請求項４において、
上記混合室（63）を上記連通室（62a〜62c）から仕切る上記縦仕切板（90）と上記主横仕切板（80a）と上記副横仕切板（85a）のそれぞれには、上記混合室（63）の冷媒を上記各連通室（62a〜62c）へ所定の割合で分配するための連通用貫通孔（81a,86a,95）が形成されている
ことを特徴とする熱交換器。
【請求項６】
請求項１乃至３のいずれか一つにおいて、
上記混合室（63）は、上記縦仕切板（90）と、該混合室（63）の上下に配置された一対の上記副横仕切板（85a,85b）とによって上記連通室（62a〜62d）から仕切られている
ことを特徴とする熱交換器。
【請求項７】
請求項６において、
上記混合室（63）を上記連通室（62a〜62d）から仕切る一対の上記副横仕切板（85a,85b）と上記縦仕切板（90）のそれぞれには、上記混合室（63）の冷媒を上記各連通室（62a〜62d）へ所定の割合で分配するための連通用貫通孔（86a,86b,95a,95b）が形成されている
ことを特徴とする熱交換器。
【請求項８】
請求項１乃至３のいずれか一つにおいて、
上記混合室（63）は、上記縦仕切板（90）を挟んで一つ又は二つの上記連通室（62b,62c）と隣り合っている
ことを特徴とする熱交換器。
【請求項９】
請求項１乃至３のいずれか一つにおいて、
上記縦仕切板（90）には、該縦仕切板（90）を挟んで上記混合室（63）と隣り合う連通室（62b）を、該混合室（63）と連通させるための連通用貫通孔（95）が形成されている
ことを特徴とする熱交換器。
【請求項１０】
請求項９において、
上記接続口（66）は、上記第１ヘッダ集合管（60）の側壁に形成されて上記縦仕切板（90）と向かい合い、
上記縦仕切板（90）の連通用貫通孔（95）は、上記接続口（66）の正面から外れた位置に設けられている
ことを特徴とする熱交換器。
【請求項１１】
請求項１乃至１０のいずれか一つにおいて、
それぞれが複数の上記扁平管（31,32）を有する主熱交換領域（51）と補助熱交換領域（52）に区分され、
上記補助熱交換領域（52）が上記主熱交換領域（51）の下方に位置する一方、
上記補助熱交換領域（52）は、それぞれが複数の扁平管（32）を有して上記各連通室（62a〜62c）に一つずつ対応する複数の補助熱交換部（52a〜52c）に区分され、
上記各補助熱交換部（52a〜52c）の扁平管（32）は、該補助熱交換部（52a〜52c）に対応する連通室（62a〜62c）に連通し、
上記主熱交換領域（51）は、それぞれが複数の扁平管（31）を有して上記各補助熱交換部（52a〜52c）に一つずつ対応する複数の主熱交換部（51a〜51c）に区分され、
上記各主熱交換部（51a〜51c）の扁平管（31）は、該主熱交換部（51a〜51c）に対応する補助熱交換部（52a〜52c）の扁平管（32）と上記第２ヘッダ集合管（70）を介して連通する
ことを特徴とする熱交換器。
【発明の詳細な説明】
【技術分野】
【０００１】
本発明は、一対のヘッダ集合管と、各ヘッダ集合管に接続する複数の扁平管とを備え、扁平管内を流れる冷媒を空気と熱交換させる熱交換器に関する。
【背景技術】
【０００２】
従来より、多数の扁平管と、各扁平管に接続するヘッダ集合管とを備え、扁平管の内部を流れる冷媒を、扁平管の外部を流れる空気と熱交換させる熱交換器が知られている。特許文献１に開示された熱交換器では、上下に延びる多数の扁平管が左右に配列され、各扁平管の下端にヘッダ集合管が接続される。また、特許文献２に開示された熱交換器では、左右に延びる多数の扁平管が上下に配列され、各扁平管の端部にヘッダ集合管が接続される。
【０００３】
この種の熱交換器へ供給された冷媒は、先ずヘッダ集合管へ流入し、その後に複数の扁平管へ分かれて流入する。また、この種の熱交換器が冷凍装置の蒸発器として機能する場合は、気液二相状態の冷媒が熱交換器へ供給される。つまり、この場合は、気液二相状態の冷媒がヘッダ集合管を通って各扁平管へ分配される。
【先行技術文献】
【特許文献】
【０００４】
【特許文献１】特開平０９−２６４６９３号公報
【特許文献２】特開平０６−０７４６０９号公報
【発明の概要】
【発明が解決しようとする課題】
【０００５】
ここで、気液二相状態の冷媒を複数の扁平管に分配する場合は、各扁平管へ流入する冷媒の湿り度をなるべく均一にするのが望ましい。各扁平管へ流入する冷媒の湿り度を均一化するには、ヘッダ集合管へ流入した気液二相状態の冷媒を、できるだけ均質化してから扁平管へ供給するのが望ましい。そうするための手法としては、ヘッダ集合管内に形成した部屋に気液二相状態の冷媒を流入させて撹拌し、その後に各扁平管へ冷媒を分配することが考えられる。しかし、気液二相状態の冷媒が各扁平管へ分配される前に流入する部屋をヘッダ集合管に形成するための構造については、これまで充分に検討されていなかった。
【０００６】
本発明は、かかる点に鑑みてなされたものであり、その目的は、一対のヘッダ集合管と扁平管を備えた熱交換器において、気液二相状態の冷媒が各扁平管へ分配される前に流入する部屋をヘッダ集合管に形成し、各扁平管へ流入する冷媒の湿り度を平均化することにある。
【課題を解決するための手段】
【０００７】
第１の発明は、複数の扁平管（32）と、各扁平管（32）の一端が接続された第１ヘッダ集合管（60）と、各扁平管（32）の他端が接続された第２ヘッダ集合管（70）と、上記扁平管（32）に接合された複数のフィン（36）とを備え、上記扁平管（32）を流れる冷媒を空気と熱交換させることによって蒸発器として機能し得る熱交換器を対象とする。そして、上記第１ヘッダ集合管（60）及び上記第２ヘッダ集合管（70）は、起立した状態であり、上記第１ヘッダ集合管（60）には、該第１ヘッダ集合管（60）へ気液二相状態の冷媒を導入するための配管が接続される一つの接続口（66）が形成される一方、上記第１ヘッダ集合管（60）は、該第１ヘッダ集合管（60）の内部空間を横断し、一つ又は複数の上記扁平管（32）がそれぞれに連通する複数の連通室（62a〜62c）を形成する主横仕切板（80a,80b）と、該第１ヘッダ集合管（60）の内部空間を縦断し、上記接続口（66）と全ての上記連通室（62a〜62c）とに連通する混合室（63）を形成する縦仕切板（90）と、上下に隣り合う主横仕切板（80a,80b）の間に配置されて該第１ヘッダ集合管（60）の内部空間を横断し、上記縦仕切板（90）と共に上記混合室（63）を形成する副横仕切板（85a）とを備えるものである。
【０００８】
第１の発明の第１ヘッダ集合管（60）には、一つの混合室（63）と、複数の連通室（62a〜62c）とが形成される。この発明の熱交換器（23）が蒸発器として機能する状態では、気液二相状態の冷媒が第１ヘッダ集合管（60）へ供給される。具体的に、気液二相状態の冷媒は、接続口（66）を通って一つの混合室（63）へ流入し、その後に複数の連通室（62a〜62c）へ分配される。各連通室（62a〜62c）へ流入した気液二相状態の冷媒は、その連通室（62a〜62c）に連通する扁平管（32）へ流入し、その後に第２ヘッダ集合管（70）へ流入する。気液二相状態の冷媒に含まれる液冷媒は、扁平管（32）を通過する間に空気から吸熱し、その一部または全部が蒸発する。
【０００９】
第１の発明の第１ヘッダ集合管（60）には、主横仕切板（80a,80b）と、縦仕切板（90）と、副横仕切板（85a）とが設けられる。第１ヘッダ集合管（60）の内部空間を横断するように配置された主横仕切板（80a,80b）は、複数の連通室（62a〜62c）を形成する。一方、第１ヘッダ集合管（60）の内部空間を縦断するように配置された縦仕切板（90）と、第１ヘッダ集合管（60）の内部空間を横断するように配置された副横仕切板（85a）とは、混合室（63）を形成する。
【００１０】
第１の発明において、副横仕切板（85a）は、上下に隣り合う主横仕切板（80a,80b）の間に配置される。ここで、混合室（63）を縦仕切板（90）と主横仕切板（80a,80b）によって形成する場合、混合室（63）の高さは、主横仕切板（80a,80b）の間隔と同じになる。一方、第１の発明では、縦仕切板（90）と副横仕切板（85a）とが混合室（63）を形成する。このため、混合室（63）の高さは、主横仕切板（80a,80b）の間隔とは無関係に設定可能となる。
【００１１】
第２の発明は、上記第１の発明において、上記混合室（63）の高さは、上記縦仕切板（90）を挟んで該混合室（63）と隣り合う上記連通室（62b）の高さよりも低いものである。
【００１２】
第２の発明の混合室（63）は、縦仕切板（90）を挟んで混合室（63）と隣り合う連通室（62b）に比べて、高さが低い。つまり、この発明では、混合室（63）の高さが、連通室（62b）を形成する主横仕切板（80a,80b）の間隔よりも低くなる。
【００１３】
第３の発明は、上記第１又は第２の発明において、上記縦仕切板（90）は、上記第１ヘッダ集合管（60）の中心軸（64）を基準に上記扁平管（32）とは逆側に配置されるものである。
【００１４】
第３の発明では、混合室（63）を形成する縦仕切板（90）が、第１ヘッダ集合管（60）の中心軸（64）に対して扁平管（32）とは逆側に配置される。このため、第１ヘッダ集合管（60）の中心軸（64）と直交する方向における混合室（63）の幅は、第１ヘッダ集合管（60）の内径の半分よりも短くなる。
【００１５】
第４の発明は、上記第１〜第３のいずれか一つの発明において、上記混合室（63）は、上記縦仕切板（90）と、該混合室（63）の上側と下側の一方に配置された一つの上記主横仕切板（80a）と、該混合室（63）の上側と下側の他方に配置された一つの上記副横仕切板（85a）とによって上記連通室（62a〜62c）から仕切られるものである。
【００１６】
第４の発明では、縦仕切板（90）と、一つの主横仕切板（80a）と、一つの副横仕切板（85a）とによって、混合室（63）が連通室（62a〜62c）から仕切られる。混合室（63）を連通室（62a〜62c）から仕切る主横仕切板（80a）と副横仕切板（85a）は、その一方が混合室（63）の上方に配置され、その他方が混合室（63）の下方に配置される。
【００１７】
第５の発明は、上記第４の発明において、上記混合室（63）を上記連通室（62a〜62c）から仕切る上記縦仕切板（90）と上記主横仕切板（80a）と上記副横仕切板（85a）のそれぞれには、上記混合室（63）の冷媒を上記各連通室（62a〜62c）へ所定の割合で分配するための連通用貫通孔（81a,86a,95）が形成されるものである。
【００１８】
第５の発明では、混合室（63）を連通室（62a〜62c）から仕切る縦仕切板（90）と主横仕切板（80a）と副横仕切板（85a）のそれぞれに、連通用貫通孔（81a,86a,95）が形成される。これら連通用貫通孔（81a,86a,95）の大きさを調節すれば、混合室（63）から各連通室（62a〜62c）へ流入する冷媒の流量の比が所定の値となる。
【００１９】
第６の発明は、上記第１〜第３のいずれか一つの発明において、上記混合室（63）は、上記縦仕切板（90）と、該混合室（63）の上下に配置された一対の上記副横仕切板（85a,85b）とによって上記連通室（62a〜62d）から仕切られるものである。
【００２０】
第６の発明では、縦仕切板（90）と、一対の副横仕切板（85a,85b）とによって、混合室（63）が連通室（62a〜62d）から仕切られる。混合室（63）を連通室（62a〜62d）から仕切る副横仕切板（85a,85b）は、混合室（63）の上方と下方に一つずつ配置される。
【００２１】
第７の発明は、上記第６の発明において、上記混合室（63）を上記連通室（62a〜62d）から仕切る一対の上記副横仕切板（85a,85b）と上記縦仕切板（90）のそれぞれには、上記混合室（63）の冷媒を上記各連通室（62a〜62d）へ所定の割合で分配するための連通用貫通孔（86a,86b,95a,95b）が形成されるものである。
【００２２】
第７の発明では、混合室（63）を連通室（62a〜62d）から仕切る一対の副横仕切板（85a,85b）と縦仕切板（90）のそれぞれに、連通用貫通孔（86a,86b,95a,95b）が形成される。これら連通用貫通孔（86a,86b,95a,95b）の大きさを調節すれば、混合室（63）から各連通室（62a〜62d）へ流入する冷媒の流量の比が所定の値となる。
【００２３】
第８の発明は、上記第１〜第３のいずれか一つの発明において、上記混合室（63）は、上記縦仕切板（90）を挟んで一つ又は二つの上記連通室（62b,62c）と隣り合うものである。
【００２４】
第８の発明では、縦仕切板（90）を挟んで混合室（63）が一つ又は二つの連通室（62b,62c）と隣り合う。
【００２５】
第９の発明は、上記第１〜第３のいずれか一つの発明において、上記縦仕切板（90）には、該縦仕切板（90）を挟んで上記混合室（63）と隣り合う連通室（62b）を、該混合室（63）と連通させるための連通用貫通孔（95）が形成されるものである。
【００２６】
第９の発明では、縦仕切板（90）に連通用貫通孔（95）が形成される。縦仕切板（90）を挟んで混合室（63）と隣り合う連通室（62b）へは、混合室（63）の冷媒が連通用貫通孔（95）を通って流入する。
【００２７】
第１０の発明は、上記第９の発明において、上記接続口（66）は、上記第１ヘッダ集合管（60）の側壁に形成されて上記縦仕切板（90）と向かい合い、上記縦仕切板（90）の連通用貫通孔（95）は、上記接続口（66）の正面から外れた位置に設けられるものである。
【００２８】
第１０の発明の第１ヘッダ集合管（60）では、接続口（66）が縦仕切板（90）と向かい合っている。このため、接続口（66）を通って混合室（63）へ流入した気液二相状態の冷媒は、接続口（66）と向かい合った縦仕切板（90）に衝突する。また、この発明の縦仕切板（90）において、連通用貫通孔（95）は、接続口（66）の正面から外れた位置に設けられる。このため、接続口（66）から混合室（63）へ流入した冷媒が縦仕切板（90）の連通用貫通孔（95）へ集中的に流入することはない。
【００２９】
第１１の発明は、上記第１〜第１０のいずれか一つの発明において、それぞれが複数の上記扁平管（31,32）を有する主熱交換領域（51）と補助熱交換領域（52）に区分され、上記補助熱交換領域（52）が上記主熱交換領域（51）の下方に位置する一方、上記補助熱交換領域（52）は、それぞれが複数の扁平管（32）を有して上記各連通室（62a〜62c）に一つずつ対応する複数の補助熱交換部（52a〜52c）に区分され、上記各補助熱交換部（52a〜52c）の扁平管（32）は、該補助熱交換部（52a〜52c）に対応する連通室（62a〜62c）に連通し、上記主熱交換領域（51）は、それぞれが複数の扁平管（31）を有して上記各補助熱交換部（52a〜52c）に一つずつ対応する複数の主熱交換部（51a〜51c）に区分され、上記各主熱交換部（51a〜51c）の扁平管（31）は、該主熱交換部（51a〜51c）に対応する補助熱交換部（52a〜52c）の扁平管（32）と上記第２ヘッダ集合管（70）を介して連通するものである。
【００３０】
第１１の発明では、熱交換器（23）が主熱交換領域（51）と補助熱交換領域（52）に区分される。また、主熱交換領域（51）は複数の主熱交換部（51a〜51c）に区分され、補助熱交換領域（52）は複数の補助熱交換部（52a〜52c）に区分される。主熱交換部（51a〜51c）と補助熱交換部（52a〜52c）は、一対一に対応している。熱交換器（23）が蒸発器として機能する状態では、気液二相状態の冷媒が第１ヘッダ集合管（60）の混合室（63）へ流入する。混合室（63）の冷媒は、複数の連通室（62a〜62c）へ分配され、各連通室（62a〜62c）に対応する補助熱交換部（52a〜52c）の扁平管（32）へ流入する。各補助熱交換部（52a〜52c）の扁平管（32）を通過した冷媒は、第２ヘッダ集合管（70）を通り、対応する主熱交換部（51a〜51c）の扁平管（31）へ流入する。
【発明の効果】
【００３１】
本発明では、第１ヘッダ集合管（60）に設けられた主横仕切板（80a,80b）と縦仕切板（90）と副横仕切板（85a）とによって、第１ヘッダ集合管（60）内に一つの混合室（63）と複数の連通室（62a〜62c）とが形成される。そして、熱交換器（23）が蒸発器として機能する状態において、第１ヘッダ集合管（60）へ供給された気液二相状態の冷媒を混合室（63）へ導入して撹拌すれば、複数の連通室（62a〜62c）へ分配される冷媒の湿り度を平均化できる。従って、本発明によれば、各扁平管（32）へ流入する冷媒の湿り度を平均化することが可能となる。
【００３２】
ここで、混合室（63）へ流入した気液二相状態の冷媒には、重力が作用する。このため、混合室（63）の高さがある程度以上になると、混合室（63）の上端付近と下端付近における冷媒の湿り度の差が無視できない程度に拡大するおそれがある。
【００３３】
これに対し、本発明では、縦仕切板（90）と共に混合室（63）を形成する副横仕切板（85a）が、上下に隣り合う主横仕切板（80a,80b）の間に配置される。このため、混合室（63）の高さを、主横仕切板（80a,80b）の間隔とは無関係に設定可能となる。従って、本発明によれば、副横仕切板（85a）を適切な位置に配置することによって、混合室（63）の高さを低く抑えることが可能となる。その結果、混合室（63）内の気液二相状態の冷媒を均質化することが可能となり、各扁平管へ流入する冷媒の湿り度を平均化することが可能となる。
【００３４】
上記第２の発明では、混合室（63）の高さが、縦仕切板（90）を挟んで混合室（63）と隣り合う連通室（62b）の高さよりも低くなる。このため、混合室（63）の高さが低く抑えられ、混合室（63）に存在する気液二相状態の冷媒の均質化を図ることができる。
【００３５】
上記第３の発明では、混合室（63）を形成する縦仕切板（90）が、第１ヘッダ集合管（60）の中心軸（64）に対して扁平管（32）とは逆側に配置される。このため、混合室（63）の幅を第１ヘッダ集合管（60）の内径の半分よりも短くすることができ、混合室（63）の容積を抑えることによって、混合室（63）に存在する気液二相状態の冷媒の均質化を図ることができる。
【００３６】
上記第１０の発明では、接続口（66）を通って混合室（63）へ流入した気液二相状態の冷媒が縦仕切板（90）に衝突する。このため、接続口（66）から混合室（63）へ流入した冷媒は、縦仕切板（90）に衝突することによって激しく掻き乱される。従って、この発明によれば、混合室（63）内の冷媒に含まれるガス冷媒と液冷媒の混合を促進させ、混合室（63）内の気液二相状態の冷媒の均質化を促進することができる。
【００３７】
また、第１０の発明の縦仕切板（90）では、連通用貫通孔（95）が接続口（66）の正面から外れた位置に設けられる。このため、接続口（66）から混合室（63）へ流入した冷媒が縦仕切板（90）の連通用貫通孔（95）へ集中的に流入ことを回避できる。
【図面の簡単な説明】
【００３８】
【図１】図１は、実施形態１の室外熱交換器を備えた空気調和機の概略構成を示す冷媒回路図である。
【図２】図２は、実施形態１の室外熱交換器の概略構成を示す正面図である。
【図３】図３は、実施形態１の室外熱交換器の正面を示す一部断面図である。
【図４】図４は、図３のＰ−Ｐ断面の一部を拡大して示す室外熱交換器の断面図である。
【図５】図５は、実施形態１の室外熱交換器の要部の正面を拡大して示す断面図である。
【図６】図６は、実施形態１の室外熱交換器の要部を拡大して示す断面図であって、(Ａ)は図５のＱ−Ｑ断面の一部を示し、(Ｂ)は(Ａ)のＲ−Ｒ断面を示し、(Ｃ)は(Ａ)のＳ−Ｓ断面を示し、(Ｄ)は(Ａ)のＴ−Ｔ断面を示す。
【図７】図７は、実施形態１の室外熱交換器に設けられた縦仕切板の平面図である。
【図８】図８は、実施形態１の変形例の室外熱交換器の要部の正面を拡大して示す断面図である。
【図９】図９は、実施形態２の室外熱交換器の要部の正面を拡大して示す断面図である。
【図１０】図１０は、図９のＵ−Ｕ断面の一部を示す断面図である。
【図１１】図１１は、実施形態２の室外熱交換器の要部の断面図であって、(Ａ)は図１０のＶ−Ｖ断面を示し、(Ｂ)は図１０のＷ−Ｗ断面を示し、(Ｃ)は図１０のＸ−Ｘ断面を示し、(Ｄ)は図１０のＹ−Ｙ断面を示し、(Ｅ)は図１０のＺ−Ｚ断面を示す。
【図１２】図１２は、実施形態２の室外熱交換器に設けられた縦仕切板の平面図である。
【図１３】図１３は、その他の実施形態の第１変形例を適用した実施形態１の室外熱交換器の要部の断面図であって、(Ａ)は図６(Ｂ)に相当する断面を示し、(Ｂ)は図６(Ｃ)に相当する断面を示す。
【発明を実施するための形態】
【００３９】
本発明の実施形態を図面に基づいて詳細に説明する。なお、以下で説明する実施形態および変形例は、本質的に好ましい例示であって、本発明、その適用物、あるいはその用途の範囲を制限することを意図するものではない。
【００４０】
《発明の実施形態１》
本発明の実施形態１について説明する。本実施形態の熱交換器は、空気調和機（10）に設けられた室外熱交換器（23）である。以下では、先ず空気調和機（10）について説明し、その後に室外熱交換器（23）について詳細に説明する。
【００４１】
−空気調和機−
空気調和機（10）について、図１を参照しながら説明する。
【００４２】
〈空気調和機の構成〉
空気調和機（10）は、室外ユニット（11）および室内ユニット（12）を備えている。室外ユニット（11）と室内ユニット（12）は、液側連絡配管（13）およびガス側連絡配管（14）を介して互いに接続されている。空気調和機（10）では、室外ユニット（11）、室内ユニット（12）、液側連絡配管（13）およびガス側連絡配管（14）によって、冷媒回路（20）が形成されている。
【００４３】
冷媒回路（20）には、圧縮機（21）と、四方切換弁（22）と、室外熱交換器（23）と、膨張弁（24）と、室内熱交換器（25）とが設けられている。圧縮機（21）、四方切換弁（22）、室外熱交換器（23）、および膨張弁（24）は、室外ユニット（11）に収容されている。室外ユニット（11）には、室外熱交換器（23）へ室外空気を供給するための室外ファン（15）が設けられている。一方、室内熱交換器（25）は、室内ユニット（12）に収容されている。室内ユニット（12）には、室内熱交換器（25）へ室内空気を供給するための室内ファン（16）が設けられている。
【００４４】
冷媒回路（20）は、冷媒が充填された閉回路である。冷媒回路（20）において、圧縮機（21）は、その吐出管が四方切換弁（22）の第１のポートに、その吸入管が四方切換弁（22）の第２のポートに、それぞれ接続されている。また、冷媒回路（20）では、四方切換弁（22）の第３のポートから第４のポートへ向かって順に、室外熱交換器（23）と、膨張弁（24）と、室内熱交換器（25）とが配置されている。
【００４５】
圧縮機（21）は、スクロール型またはロータリ型の全密閉型圧縮機である。四方切換弁（22）は、第１のポートが第３のポートと連通し且つ第２のポートが第４のポートと連通する第１状態（図１に実線で示す状態）と、第１のポートが第４のポートと連通し且つ第２のポートが第３のポートと連通する第２状態（図１に破線で示す状態）とに切り換わる。膨張弁（24）は、いわゆる電子膨張弁である。
【００４６】
室外熱交換器（23）は、室外空気を冷媒と熱交換させる。室外熱交換器（23）については後述する。一方、室内熱交換器（25）は、室内空気を冷媒と熱交換させる。室内熱交換器（25）は、円管である伝熱管を備えたいわゆるクロスフィン型のフィン・アンド・チューブ熱交換器によって構成されている。
【００４７】
〈空気調和機の運転動作〉
空気調和機（10）は、冷房運転と暖房運転を選択的に行う。冷房運転と暖房運転のそれぞれにおいて、空気調和機（10）の冷媒回路（20）は、冷媒を循環させて冷凍サイクルを行う。
【００４８】
冷房運転中の冷媒回路（20）は、四方切換弁（22）が第１状態に設定される。このとき、冷媒回路（20）では、室外熱交換器（23）、膨張弁（24）、室内熱交換器（25）の順に冷媒が循環し、室外熱交換器（23）が凝縮器として機能し、室内熱交換器（25）が蒸発器として機能する。室外熱交換器（23）では、圧縮機（21）から流入したガス冷媒が室外空気へ放熱して凝縮し、凝縮後の冷媒が膨張弁（24）へ向けて流出してゆく。
【００４９】
暖房運転中の冷媒回路（20）は、四方切換弁（22）が第２状態に設定される。このとき、冷媒回路（20）では、室内熱交換器（25）、膨張弁（24）、室外熱交換器（23）の順に冷媒が循環し、室内熱交換器（25）が凝縮器として機能し、室外熱交換器（23）が蒸発器として機能する。室外熱交換器（23）には、膨張弁（24）を通過する際に膨張して気液二相状態となった冷媒が流入する。室外熱交換器（23）へ流入した冷媒は、室外空気から吸熱して蒸発し、その後に圧縮機（21）へ向けて流出してゆく。
【００５０】
−室外熱交換器−
室外熱交換器（23）について、図２〜７を適宜参照しながら説明する。なお、以下の説明に示す扁平管（31,32）の本数と、主熱交換部（51a〜51c）及び補助熱交換部（52a〜52c）の数は、何れも単なる一例である。
【００５１】
〈室外熱交換器の構成〉
図２及び図３に示すように、室外熱交換器（23）は、一つの第１ヘッダ集合管（60）と、一つの第２ヘッダ集合管（70）と、多数の扁平管（31,32）と、多数のフィン（36）とを備えている。第１ヘッダ集合管（60）、第２ヘッダ集合管（70）、扁平管（31,32）およびフィン（35）は、何れもアルミニウム合金製の部材であって、互いにロウ付けによって接合されている。
【００５２】
詳しくは後述するが、室外熱交換器（23）は、主熱交換領域（51）と補助熱交換領域（52）に区分されている。この室外熱交換器（23）では、一部の扁平管（32）が補助熱交換領域（52）を構成し、残りの扁平管（31）が主熱交換領域（51）を構成している。
【００５３】
第１ヘッダ集合管（60）と第２ヘッダ集合管（70）は、何れも両端が閉塞された細長い円筒状に形成されている。図２及び図３において、第１ヘッダ集合管（60）は室外熱交換器（23）の左端に、第２ヘッダ集合管（70）は室外熱交換器（23）の右端に、それぞれ起立した状態で設置されている。つまり、第１ヘッダ集合管（60）及び第２ヘッダ集合管（70）は、それぞれの軸方向が上下方向となる状態で設置されている。
【００５４】
図４に示すように、扁平管（31,32）は、その断面形状が扁平な長円形となった伝熱管である。図３に示すように、室外熱交換器（23）において、複数の扁平管（31,32）は、その伸長方向が左右方向となり、それぞれの平坦な側面が対向する状態で配置されている。また、複数の扁平管（31,32）は、互いに一定の間隔をおいて上下に並んで配置され、互いに実質的に平行となっている。各扁平管（31,32）は、その一端が第１ヘッダ集合管（60）に挿入され、その他端が第２ヘッダ集合管（70）に挿入されている。
【００５５】
図４に示すように、各扁平管（31,32）には、複数の流体通路（34）が形成されている。各流体通路（34）は、扁平管（31,32）の伸長方向に延びる通路である。各扁平管（31,32）において、複数の流体通路（34）は、扁平管（31,32）の幅方向（即ち、長手方向と直交する方向）に一列に並んでいる。各扁平管（31,32）に形成された複数の流体通路（34）は、それぞれの一端が第１ヘッダ集合管（60）の内部空間に連通し、それぞれの他端が第２ヘッダ集合管（70）の内部空間に連通している。室外熱交換器（23）へ供給された冷媒は、扁平管（31,32）の流体通路（34）を流れる間に空気と熱交換する。
【００５６】
図４に示すように、フィン（36）は、金属板をプレス加工することによって形成された縦長の板状フィンである。フィン（36）には、フィン（36）の前縁（即ち、風上側の縁部）からフィン（36）の幅方向に延びる細長い切り欠き部（45）が、多数形成されている。フィン（36）では、多数の切り欠き部（45）が、フィン（36）の長手方向（上下方向）に一定の間隔で形成されている。切り欠き部（45）の風下寄りの部分は、管挿入部（46）を構成している。管挿入部（46）は、上下方向の幅が扁平管（31,32）の厚さと実質的に等しく、長さが扁平管（31,32）の幅と実質的に等しい。扁平管（31,32）は、フィン（36）の管挿入部（46）に挿入され、管挿入部（46）の周縁部とロウ付けによって接合される。また、フィン（36）には、伝熱を促進するためのルーバー（40）が形成されている。そして、複数のフィン（36）は、扁平管（31,32）の伸長方向に配列されることで、隣り合う扁平管（31,32）の間を空気が流れる複数の通風路（38）に区画している。
【００５７】
図２及び図３に示すように、室外熱交換器（23）は、上下に二つの熱交換領域（51,52）に区分されている。室外熱交換器（23）では、上側の熱交換領域が主熱交換領域（51）となり、下側の熱交換領域が補助熱交換領域（52）となっている。
【００５８】
各熱交換領域（51,52）は、上下に三つずつの熱交換部（51a〜51c,52a〜52c）に区分されている。つまり、室外熱交換器（23）では、主熱交換領域（51）と補助熱交換領域（52）のそれぞれが、複数且つ互いに同数の熱交換部（51a〜51c,52a〜52c）に区分されている。なお、各熱交換領域（51,52）に形成される熱交換部（51a〜51c,52a〜52c）の数は、二つであってもよいし、四つ以上であってもよい。
【００５９】
具体的に、主熱交換領域（51）には、下から上に向かって順に、第１主熱交換部（51a）と、第２主熱交換部（51b）と、第３主熱交換部（51c）とが形成されている。補助熱交換領域（52）には、下から上に向かって順に、第１補助熱交換部（52a）と、第２補助熱交換部（52b）と、第３補助熱交換部（52c）とが形成されている。各主熱交換部（51a〜51c）と各補助熱交換部（52a〜52c）は、扁平管（31,32）が複数本ずつ備えている。また、図３に示すように、各主熱交換部（51a〜51c）を構成する扁平管（31）の本数は、各補助熱交換部（52a〜52c）を構成する扁平管（32）の本数よりも多い。従って、主熱交換領域（51）を構成する扁平管（31）の本数は、補助熱交換領域（52）を構成する扁平管（32）の本数よりも多い。
【００６０】
なお、本実施形態の室外熱交換器（23）において、第１補助熱交換部（52a）を構成する扁平管（32）の本数は三本であり、第２補助熱交換部（52b）を構成する扁平管（32）の本数は三本であり、第３補助熱交換部（52c）を構成する扁平管（32）の本数は五本である。
【００６１】
図３に示すように、第１ヘッダ集合管（60）の内部空間は、仕切板（39a）によって上下に仕切られている。第１ヘッダ集合管（60）では、仕切板（39a）の上側の空間が上側空間（61）となり、仕切板（39a）の下側の空間が下側空間（62）となっている。
【００６２】
上側空間（61）は、主熱交換領域（51）に対応した主連通空間を構成している。上側空間（61）は、主熱交換領域（51）を構成する扁平管（31）の全てと連通する単一の空間である。つまり、上側空間（61）は、各主熱交換部（51a〜51c）の扁平管（31）と連通している。
【００６３】
下側空間（62）は、補助熱交換領域（52）に対応した補助連通空間を構成している。詳細は後述するが、下側空間（62）は、補助熱交換部（52a〜52c）と同数（本実施形態では三つ）の連通室（62a〜62c）に区画されている。最も下方に位置する第１連通室（62a）は、第１補助熱交換部（52a）を構成する全ての扁平管（32）と連通する。第１連通室（62a）の上方に位置する第２連通室（62b）は、第２補助熱交換部（52b）を構成する全ての扁平管（32）と連通する。最も上方に位置する第３連通室（62c）は、第３補助熱交換部（52c）を構成する全ての扁平管（32）と連通する。
【００６４】
第２ヘッダ集合管（70）の内部空間は、主熱交換領域（51）に対応した主連通空間（71）と、補助熱交換領域（52）に対応した補助連通空間（72）とに区分されている。
【００６５】
主連通空間（71）は、二枚の仕切板（39c）によって上下に仕切られている。この仕切板（39c）は、主連通空間（71）を、主熱交換部（51a〜51c）と同数（本実施形態では三つ）の部分空間（71a〜71c）に区画している。最も下方に位置する第１部分空間（71a）は、第１主熱交換部（51a）を構成する全ての扁平管（31）と連通する。第１部分空間（71a）の上方に位置する第２部分空間（71b）は、第２主熱交換部（51b）を構成する全ての扁平管（31）と連通する。最も上方に位置する第３部分空間（71c）は、第３主熱交換部（51c）を構成する全ての扁平管（31）と連通する。
【００６６】
補助連通空間（72）は、二枚の仕切板（39d）によって上下に仕切られている。この仕切板（39d）は、補助連通空間（72）を、補助熱交換部（52a〜52c）と同数（本実施形態では三つ）の部分空間（72a〜72c）に区画している。最も下方に位置する第４部分空間（72a）は、第１補助熱交換部（52a）を構成する全ての扁平管（32）と連通する。第４部分空間（72a）の上方に位置する第５部分空間（72b）は、第２補助熱交換部（52b）を構成する全ての扁平管（32）と連通する。最も上方に位置する第６部分空間（72c）は、第３補助熱交換部（52c）を構成する全ての扁平管（32）と連通する。
【００６７】
第２ヘッダ集合管（70）には、二本の接続用配管（76,77）が取り付けられている。これら接続用配管（76,77）は、何れも円管である。
【００６８】
第１接続用配管（76）は、その一端が第２主熱交換部（51b）に対応する第２部分空間（71b）に接続され、その他端が第１補助熱交換部（52a）に対応する第４部分空間（72a）に接続される。第２接続用配管（77）は、その一端が第３主熱交換部（51c）に対応する第３部分空間（71c）に接続され、その他端が第２補助熱交換部（52b）に対応する第５部分空間（72b）に接続される。また、第２ヘッダ集合管（70）では、第３補助熱交換部（52c）に対応する第６部分空間（72c）と、第１主熱交換部（51a）に対応する第１部分空間（71a）とが、互いに連続した一つの空間を形成している。
【００６９】
このように、本実施形態の室外熱交換器（23）では、第１主熱交換部（51a）と第３補助熱交換部（52c）が直列に接続され、第２主熱交換部（51b）と第１補助熱交換部（52a）が直列に接続され、第３主熱交換部（51c）と第２補助熱交換部（52b）が直列に接続されている。
【００７０】
図２及び図３に示すように、室外熱交換器（23）には、液側接続管（55）とガス側接続管（57）とが設けられている。液側接続管（55）及びガス側接続管（57）は、円管状に形成されたアルミニウム合金製の部材である。液側接続管（55）及びガス側接続管（57）は、第１ヘッダ集合管（60）とロウ付けによって接合されている。
【００７１】
詳細は後述するが、管状部材である液側接続管（55）の一端は、第１ヘッダ集合管（60）の下部に接続され、下側空間（62）に連通している。液側接続管（55）の他端は、室外熱交換器（23）と膨張弁（24）を繋ぐ銅製の配管（17）に、継手（図示せず）を介して接続されている。
【００７２】
ガス側接続管（57）の一端は、第１ヘッダ集合管（60）の上部に接続され、上側空間（61）に連通している。ガス側接続管（57）の他端は、室外熱交換器（23）と四方切換弁（22）の第３のポートを繋ぐ銅製の配管（18）に、継手（図示せず）を介して接続されている。
【００７３】
〈第１ヘッダ集合管の下部の構成〉
第１ヘッダ集合管（60）の下部の構造について、図５〜図７を適宜参照しながら詳細に説明する。なお、この説明では、第１ヘッダ集合管（60）の側面のうち扁平管（32）側の部分を「前面」とし、第１ヘッダ集合管（60）の側面のうち扁平管（32）とは反対側の部分を「背面」とする。
【００７４】
第１ヘッダ集合管（60）の下側空間（62）には、第１主横仕切板（80a）と、第２主横仕切板（80b）と、副横仕切板（85a）と、縦仕切板（90）とが一つずつ設置されている（図５を参照）。この下側空間（62）は、二枚の主横仕切板（80a,80b）と一枚の副横仕切板（85a）と一枚の縦仕切板（90）とによって、三つの連通室（62a〜62c）と一つの混合室（63）とに仕切られている。第１主横仕切板（80a）、第２主横仕切板（80b）、副横仕切板（85a）、及び縦仕切板（90）の材質は、アルミニウム合金である。
【００７５】
第１主横仕切板（80a）、第２主横仕切板（80b）、及び副横仕切板（85a）のそれぞれは、概ね円板状の部材であって、下側空間（62）を横断するように設けられている。つまり、第１主横仕切板（80a）、第２主横仕切板（80b）、及び副横仕切板（85a）は、下側空間（62）を上下に仕切っている。第１主横仕切板（80a）、第２主横仕切板（80b）、及び副横仕切板（85a）は、ロウ付けによって第１ヘッダ集合管（60）と接合されている。
【００７６】
第１主横仕切板（80a）は、第１補助熱交換部（52a）と第２補助熱交換部（52b）の境界に配置され、第１連通室（62a）と第２連通室（62b）を仕切っている。第２主横仕切板（80b）は、第２補助熱交換部（52b）と第３補助熱交換部（52c）の境界に配置され、第２連通室（62b）と第３連通室（62c）を仕切っている。副横仕切板（85a）は、第２補助熱交換部（52b）を構成する三本の扁平管（32）のうち、下から二本目と三本目の間に配置されている。つまり、副横仕切板（85a）は、第１主横仕切板（80a）と第２主横仕切板（80b）の間に配置されている。
【００７７】
第１主横仕切板（80a）、第２主横仕切板（80b）、及び副横仕切板（85a）のそれぞれには、スリット孔（82a,82b,87a）が一つずつ形成されている（図５及び図６を参照）。スリット孔（82a,82b,87a）は、細長い長方形状の孔であって、横仕切板（80a,80b,85a）を厚さ方向に貫通している。スリット孔（82a,82b,87a）の長辺は、扁平管（32）の端面と実質的に平行である。第１主横仕切板（80a）、第２主横仕切板（80b）、及び副横仕切板（85a）のそれぞれにおいて、スリット孔（82a,82b,87a）は、第１ヘッダ集合管（60）の中心軸（64）よりも第１ヘッダ集合管（60）の背面寄りに位置している。スリット孔（82a,82b,87a）は、その幅が縦仕切板（90）の厚さとほぼ同じであり、その長さが縦仕切板（90）の幅とほぼ同じである。
【００７８】
図６(Ｄ)に示すように、第１主横仕切板（80a）には、一つの流量調節孔（81a）が形成されている。流量調節孔（81a）は、第１主横仕切板（80a）を厚さ方向に貫通する円形の孔である。流量調節孔（81a）は、スリット孔（82a）よりも第１ヘッダ集合管（60）の背面寄りに配置されている。
【００７９】
図６(Ｂ)に示すように、第２主横仕切板（80b）には、三つの接続孔（83b）が形成されている。各接続孔（83b）は、第２主横仕切板（80b）を厚さ方向に貫通する円形の孔である。三つの接続孔（83b）は、スリット孔（82a）よりも第１ヘッダ集合管（60）の背面寄りに配置されている。
【００８０】
図６(Ｃ)に示すように、副横仕切板（85a）には、一つの流量調節孔（86a）と三つの接続孔（88a）とが形成されている。流量調節孔（86a）と各接続孔（88a）は、いずれも副横仕切板（85a）を厚さ方向に貫通する円形の孔である。流量調節孔（86a）は、スリット孔（87a）よりも第１ヘッダ集合管（60）の背面寄りに配置されている。三つの接続孔（88a）は、スリット孔（87a）よりも第１ヘッダ集合管（60）の前面寄りに配置されている。
【００８１】
縦仕切板（90）は、縦長の長方形板状に形成されている（図７を参照）。縦仕切板（90）は、第１主横仕切板（80a）のスリット孔（82a）と、第２主横仕切板（80b）のスリット孔（82b）と、副横仕切板（85a）のスリット孔（87a）とに通されている（図５及び図６を参照）。縦仕切板（90）は、第１ヘッダ集合管（60）内の下側空間（62）を縦断している。また、縦仕切板（90）は、第１ヘッダ集合管（60）へ差し込まれた扁平管（32）の端面と向かい合っている。
【００８２】
縦仕切板（90）は、その下端が第１ヘッダ集合管（60）の底部に当接し、その上端が仕切板（39a）に当接している。また、縦仕切板（90）は、幅方向（図６における左右方向）の両側部が第１ヘッダ集合管（60）の内周面に接している。縦仕切板（90）は、他の部材に対して接合されていない。この縦仕切板（90）は、各主横仕切板（80a,80b）のスリット孔（82a,82b,87a）に差し込まれ、仕切板（39a）と第１ヘッダ集合管（60）の底部に当接することによって、その姿勢が保持されている。
【００８３】
縦仕切板（90）は、第２主横仕切板（80b）よりも上側の部分が上側部分（91）となり、第２主横仕切板（80b）と第１主横仕切板（80a）の間の部分が中間部分（92）となり、第１主横仕切板（80a）よりも下側の部分が下側部分（93）となっている（図５及び図６を参照）。
【００８４】
縦仕切板（90）の中間部分（92）は、下側空間（62）のうち第２主横仕切板（80b）と第１主横仕切板（80a）に挟まれた部分を、第１ヘッダ集合管（60）の前面側と背面側に仕切っている。縦仕切板（90）の中間部分（92）に対して第１ヘッダ集合管（60）の前面側に位置する空間は、第２連通室（62b）である。縦仕切板（90）の中間部分（92）に対して第１ヘッダ集合管（60）の背面側に位置する空間は、背面空間（67）である。
【００８５】
背面空間（67）は、副横仕切板（85a）によって上下に仕切られている。背面空間（67）は、副横仕切板（85a）よりも上側の部分が中間室（68）となり、副横仕切板（85a）よりも下側の部分が混合室（63）となる。つまり、副横仕切板（85a）は、背面空間（67）を混合室（63）と中間室（68）に仕切っている。
【００８６】
このように、混合室（63）は、縦仕切板（90）の中間部分（92）と、第１主横仕切板（80a）と、副横仕切板（85a）と、第１ヘッダ集合管（60）の側壁部とによって囲まれている。つまり、第１ヘッダ集合管（60）内では、混合室（63）が縦仕切板（90）の中間部分（92）を挟んで第２連通室（62b）と隣り合っている。
【００８７】
また、副横仕切板（85a）は、第１主横仕切板（80a）と第２主横仕切板（80b）の間に配置されている。このため、第１主横仕切板（80a）と副横仕切板（85a）に挟まれた混合室（63）の高さは、第１主横仕切板（80a）と第２主横仕切板（80b）に挟まれた第２連通室（62b）の高さよりも低い。
【００８８】
縦仕切板（90）には、長方形状の開口部（94a,94b）と、円形の流量調節孔（95,95）とが二つずつ形成されている。各開口部（94a,94b）と各流量調節孔（95,95）は、縦仕切板（90）を厚さ方向に貫通している。
【００８９】
開口部（94a,94b）は、縦仕切板（90）の上側部分（91）と下側部分（93）とに一つずつ形成されている。上側の開口部（94b）は、縦仕切板（90）の上側部分（91）の大半を占めている。従って、第２主横仕切板（80b）の上側に位置する第３連通室（62c）は、縦仕切板（90）の両側の部分が実質的に一つの空間となっている。下側の開口部（94a）は、縦仕切板（90）の下側部分（93）の大半を占めている。従って、第１主横仕切板（80a）の下側に位置する第１連通室（62a）は、縦仕切板（90）の両側の部分が実質的に一つの空間となっている。
【００９０】
二つの流量調節孔（95）は、いずれも縦仕切板（90）を厚さ方向に貫通する円形の孔である。各流量調節孔（95）は、縦仕切板（90）の中間部分（92）のうち第１主横仕切板（80a）と副横仕切板（85a）の間の部分（即ち、混合室（63）に臨む部分）に形成されている。また、二つの流量調節孔（95）は、縦仕切板（90）の幅方向の中心線に沿って上下に並んで配置されている。つまり、二つの流量調節孔（95）は、一方が副横仕切板（85a）の近傍に配置され、他方が第１主横仕切板（80a）の近傍に配置されている。
【００９１】
第１ヘッダ集合管（60）の側壁部には、液側接続管（55）を差し込むための接続口（66）が形成されている。接続口（66）は、円形の貫通孔である。接続口（66）は、第１ヘッダ集合管（60）のうち第１主横仕切板（80a）と副横仕切板（85a）の間の部分に形成され、混合室（63）に連通している。接続口（66）の中心は、混合室（63）の高さ方向の中央に位置している。なお、液側接続管（55）は、第１ヘッダ集合管（60）の接続口（66）へ差し込まれる接続端部（56）が窄まった形状となっている。
【００９２】
上述したように、縦仕切板（90）の流量調節孔（95）は、縦仕切板（90）のうち混合室（63）に臨む部分の上端付近と下端付近に一つずつ配置されている。一方、接続口（66）の中心は、混合室（63）の高さ方向の中央に位置している。つまり、縦仕切板（90）では、接続口（66）の正面から外れた部分に流量調節孔（95）が配置されている。
【００９３】
また、上述したように、第１主横仕切板（80a）、副横仕切板（85a）、及び縦仕切板（90）には、流量調節孔（81a,86a,95）が形成されている。これら流量調節孔（81a,86a,95）は、混合室（63）の冷媒を各連通室（62a〜62c）へ所定の割合で分配するための連通用貫通孔である。そして、これら流量調節孔（81a,86a,95）は、混合室（63）の冷媒を各連通室（62a〜62c）へ所定の割合で分配する分配通路（65）を構成している。
【００９４】
第１主横仕切板（80a）の流量調節孔（81a）は、混合室（63）を第１連通室（62a）と連通させている。この流量調節孔（81a）の直径は、例えば２ｍｍ程度である。
【００９５】
副横仕切板（85a）の流量調節孔（86a）は、中間室（68）を介して混合室（63）を第３連通室（62c）と連通させている。この流量調節孔（86a）は、第１主横仕切板（80a）の流量調節孔（81a）に比べて、直径が少しだけ大きい。
【００９６】
縦仕切板（90）の二つの流量調節孔（95）は、混合室（63）を第２連通室（62b）と連通させている。これら二つの流量調節孔（95）の断面積の合計は、第１主横仕切板（80a）の流量調節孔（81a）の断面積と実質的に等しい。
【００９７】
また、上述したように、第２主横仕切板（80b）には、三つの接続孔（83b）が形成されている。第２主横仕切板（80b）の接続孔（83b）は、中間室（68）を第３連通室（62c）と連通させている。各接続孔（83b）は、副横仕切板（85a）の流量調節孔（86a）に比べて、直径が大幅に大きい。そして、三つの接続孔（83b）の断面積の合計は、副横仕切板（85a）に形成された流量調節孔（86a）の断面積よりも充分に大きな値（例えば１０倍以上）となっている。従って、中間室（68）は、断面積の大きな接続孔（83b）を介して第３連通室（62c）と連通しており、実質的に第３連通室（62c）と一体の空間である。
【００９８】
また、上述したように、副横仕切板（85a）は、第１主横仕切板（80a）と第２主横仕切板（80b）の間に配置されている。つまり、副横仕切板（85a）は、第２連通室（62b）を横断している。一方、副横仕切板（85a）には、三つの接続孔（88a）が形成されている。このため、第２連通室（62b）のうち副横仕切板（85a）の上側と下側の部分は、接続孔（88a）を介して互いに連通する。
【００９９】
副横仕切板（85a）の各接続孔（88a）は、縦仕切板（90）の流量調節孔（95）に比べて、直径が大幅に大きい。そして、三つの接続孔（88a）の断面積の合計は、縦仕切板（90）に形成された二つの流量調節孔（95）の断面積の合計よりも充分に大きな値（例えば１０倍以上）となっている。従って、副横仕切板（85a）は第２連通室（62b）を横断するように配置されているが、第２連通室（62b）は実質的に一つの空間である。
【０１００】
〈室外熱交換器における冷媒の流れ／凝縮器の場合〉
空気調和機（10）の冷房運転中には、室外熱交換器（23）が凝縮器として機能する。冷房運転中における室外熱交換器（23）での冷媒の流れを説明する。
【０１０１】
室外熱交換器（23）には、圧縮機（21）から吐出されたガス冷媒が供給される。圧縮機（21）から送られたガス冷媒は、ガス側接続管（57）を介して第１ヘッダ集合管（60）の上側空間（61）へ流入した後、主熱交換領域（51）の各扁平管（31）へ分配される。主熱交換領域（51）の各主熱交換部（51a〜51c）において、扁平管（31）の流体通路（34）へ流入した冷媒は、流体通路（34）を流れる間に室外空気へ放熱して凝縮し、その後に第２ヘッダ集合管（70）の対応する各部分空間（71a〜71c）へ流入する。
【０１０２】
主連通空間（71）の各部分空間（71a〜71c）へ流入した冷媒は、補助連通空間（72）の対応する部分空間（72a〜72c）へ送られる。主連通空間（71）の第１部分空間（71a）へ流入した冷媒は、下方へ流れ落ちて補助連通空間（72）の第６部分空間（72c）へ流れ込む。主連通空間（71）の第２部分空間（71b）へ流入した冷媒は、第１接続用配管（76）を通って補助連通空間（72）の第４部分空間（72a）へ流入する。主連通空間（71）の第３部分空間（71c）へ流入した冷媒は、第２接続用配管（77）を通って補助連通空間（72）の第５部分空間（72b）へ流入する。
【０１０３】
補助連通空間（72）の各部分空間（72a〜72c）へ流入した冷媒は、対応する補助熱交換部（52a〜52c）の各扁平管（32）へ分配される。各扁平管（32）の流体通路（34）を流れる冷媒は、室外空気へ放熱して過冷却液となり、その後に第１ヘッダ集合管（60）の下側空間（62）の対応する連通室（62a〜62c）へ流入する。その後、冷媒は、混合室（63）を経て液側接続管（55）へ流れ込み、室外熱交換器（23）から流出してゆく。
【０１０４】
〈室外熱交換器における冷媒の流れ／蒸発器の場合〉
空気調和機（10）の暖房運転中には、室外熱交換器（23）が蒸発器として機能する。暖房運転中における室外熱交換器（23）での冷媒の流れを説明する。
【０１０５】
室外熱交換器（23）には、膨張弁（24）を通過する際に膨張して気液二相状態となった冷媒が供給される。膨張弁（24）から流れてきた気液二相状態の冷媒は、接続口（66）に差し込まれた液側接続管（55）を通って第１ヘッダ集合管（60）内の混合室（63）へ流入する。その際、冷媒が液側接続管（55）の接続端部（56）を通過する際にその流速が上昇し、液側接続管（55）から噴出した高流速の冷媒が縦仕切板（90）に衝突する。このため、混合室（63）内では、冷媒が激しく掻き乱され、その冷媒中のガス冷媒と液冷媒が混合される。つまり、混合室（63）内の冷媒が均質化され、混合室（63）内の冷媒の湿り度が概ね均一となる。
【０１０６】
混合室（63）内の冷媒は、各連通室（62a〜62c）へ分配される。上述したように、混合室（63）内の気液二相状態の冷媒は、均質化されている。このため、各連通室（62a〜62c）へ混合室（63）から流入する冷媒の湿り度は、概ね等しい。
【０１０７】
混合室（63）内の冷媒は、第１主横仕切板（80a）の流量調節孔（81a）を通過し、第１連通室（62a）へ流入する。また、混合室（63）内の冷媒は、縦仕切板（90）の流量調節孔（95）を通過し、第２連通室（62b）のうち副横仕切板（85a）よりも下側の部分へ流入する。第２連通室（62b）のうち副横仕切板（85a）よりも下側の部分へ流入した冷媒の一部は、副横仕切板（85a）の接続孔（88a）を通過し、第２連通室（62b）のうち副横仕切板（85a）よりも上側の部分へ流入する。つまり、縦仕切板（90）の流量調節孔（95）を通過した冷媒は、第２連通室（62b）の全体に行き渡る。また、混合室（63）内の冷媒は、副横仕切板（85a）の流量調節孔（86a）を通過して中間室（68）へ一旦流入し、その後に第２主横仕切板（80b）の接続孔（83b）を通過して第３連通室（62c）へ流入する。
【０１０８】
本実施形態の室外熱交換器（23）では、混合室（63）から各連通室（62a〜62c）への冷媒の分配割合が所定の割合となるように、分配通路（65）を構成する流量調節孔（81a,86a,95）の大きさが設定されている。具体的に、本実施形態の室外熱交換器（23）では、補助熱交換部（52a〜52c）を構成する各扁平管（32）へ流入する冷媒の質量流量が実質的に等しくなるように、混合室（63）から各連通室（62a〜62c）への冷媒の分配割合が設定される。従って、本実施形態の室外熱交換器（23）では、混合室（63）から第２連通室（62b）へ流入する冷媒の質量流量が、混合室（63）から第１連通室（62a）へ流入する冷媒の質量流量と実質的に等しく、混合室（63）から第３連通室（62c）へ流入する冷媒の質量流量が、混合室（63）から第１連通室（62a）へ流入する冷媒の質量流量よりも多い。
【０１０９】
第１ヘッダ集合管（60）の各連通室（62a〜62c）へ流入した冷媒は、対応する補助熱交換部（52a〜52c）の各扁平管（32）へ分配される。各扁平管（32）の流体通路（34）へ流入した冷媒は、流体通路（34）を流れる間に室外空気から吸熱し、一部の液冷媒が蒸発する。扁平管（32）の流体通路（34）を通過した冷媒は、第２ヘッダ集合管（70）の補助連通空間（72）の対応する部分空間（72a〜72c）へ流入する。この部分空間（72a〜72c）へ流入した冷媒は、依然として気液二相状態のままである。
【０１１０】
補助連通空間（72）の各部分空間（72a〜72c）へ流入した冷媒は、主連通空間（71）の対応する部分空間（71a〜71c）へ送られる。補助連通空間（72）の第４部分空間（72a）へ流入した冷媒は、第１接続用配管（76）を通って主連通空間（71）の第２部分空間（71b）へ流入する。補助連通空間（72）の第５部分空間（72b）へ流入した冷媒は、第２接続用配管（77）を通って主連通空間（71）の第３部分空間（71c）へ流入する。補助連通空間（72）の第６部分空間（72c）へ流入した冷媒は、上方へ向かって流れて主連通空間（71）の第１部分空間（71a）へ流入する。
【０１１１】
主連通空間（71）の各部分空間（71a〜71c）へ流入した冷媒は、対応する主熱交換部（51a〜51c）の各扁平管（31）へ分配される。各扁平管（31）の流体通路（34）を流れる冷媒は、室外空気から吸熱して蒸発し、実質的にガス単相状態となった後に、第１ヘッダ集合管（60）の上側空間（61）へ流入する。その後、冷媒は、ガス側接続管（57）を通って室外熱交換器（23）から流出してゆく。
【０１１２】
−実施形態１の効果−
本実施形態の室外熱交換器（23）では、第１ヘッダ集合管（60）に主横仕切板（80a,80b）と副横仕切板（85a）と縦仕切板（90）とが設けられ、これらの仕切板（80a,80b,85a,90）によって、第１ヘッダ集合管（60）内に一つの混合室（63）と三つの連通室（62a〜62c）とが形成される。そして、蒸発器として機能する室外熱交換器（23）へ供給された気液二相状態の冷媒は、第１ヘッダ集合管（60）内の混合室（63）へ流入し、縦仕切板（90）に衝突することによって撹拌される。従って、本実施形態によれば、混合室（63）から各連通室（62a〜62c）へ分配される冷媒の湿り度を平均化でき、連通室（62a〜62c）に連通する各扁平管（32）へ流入する冷媒の湿り度を平均化することが可能となる。
【０１１３】
ここで、混合室（63）へ流入した気液二相状態の冷媒には、重力が作用する。このため、混合室（63）の高さがある程度以上になると、混合室（63）の上端付近と下端付近における冷媒の湿り度の差が無視できない程度に拡大するおそれがある。また、混合室（63）の容積が大きいと、混合室（63）の各部における冷媒の湿り度の差が無視できない程度に拡大するおそれがある。
【０１１４】
これに対し、本実施形態の室外熱交換器（23）では、縦仕切板（90）と共に混合室（63）を形成する副横仕切板（85a）が、上下に隣り合う第１主横仕切板（80a）と第２主横仕切板（80b）の間に配置される。このため、混合室（63）の高さを、主横仕切板（80a,80b）の間隔とは無関係に設定可能となる。そこで、本実施形態の室外熱交換器（23）では、混合室（63）の高さを、縦仕切板（90）を挟んで混合室（63）と隣り合う第２連通室（62b）の高さよりも低くしている。
【０１１５】
また、本実施形態の室外熱交換器（23）では、混合室（63）を形成する縦仕切板（90）が、第１ヘッダ集合管（60）の中心軸（64）に対して扁平管（32）とは逆側に配置される。このため、混合室（63）の幅が狭く抑えられ、混合室（63）の容積が小さく抑えられる。
【０１１６】
このように、本実施形態の室外熱交換器（23）では、室外熱交換器（23）が蒸発器として機能する際に気液二相状態の冷媒が流入する混合室（63）について、その高さが低く抑えられ、更にはその容積が小さく抑えられる。従って、本実施形態によれば、混合室（63）内の各部における冷媒の湿り度の差を低く抑えることが可能となり、混合室（63）から各連通室（62a〜62c）へ分配される冷媒の湿り度を均一化することが可能となる。
【０１１７】
また、本実施形態の室外熱交換器（23）の縦仕切板（90）では、流量調節孔（95）が接続口（66）の正面から外れた位置に設けられる。このため、接続口（66）から混合室（63）へ流入した冷媒が縦仕切板（90）の流量調節孔（95）へ集中的に流入ことを回避でき、混合室（63）から各連通室（62a〜62c）に対して、所定の分配割合で冷媒を確実に分配することが可能となる。
【０１１８】
−実施形態１の変形例−
図５に示す第１ヘッダ集合管（60）では、第１主横仕切板（80a）と第２主横仕切板（80b）の間の下寄りに混合室（63）が形成されている。しかし、混合室（63）は、図８に示すように、第１主横仕切板（80a）と第２主横仕切板（80b）の間の上寄りに形成されていてもよい。ここでは、本変形例の第１ヘッダ集合管（60）の構造について、図５に示された第１ヘッダ集合管（60）の構造と異なる点を説明する。
【０１１９】
本変形例の第１主横仕切板（80a）は、第２補助熱交換部（52b）と第３補助熱交換部（52c）の境界に配置されている。この第１主横仕切板（80a）は、第２連通室（62b）と第３連通室（62c）を仕切る。
【０１２０】
本変形例の第２主横仕切板（80b）は、第１補助熱交換部（52a）と第２補助熱交換部（52b）の境界に配置されている。この第２主横仕切板（80b）は、第１連通室（62a）と第２連通室（62b）を仕切る。
【０１２１】
本変形例の副横仕切板（85a）は、第２補助熱交換部（52b）を構成する三本の扁平管（32）のうち、下から一本目と二本目の間に配置されている。本変形例の第１ヘッダ集合管（60）の背面空間（67）は、副横仕切板（85a）よりも上側の部分が混合室（63）となり、副横仕切板（85a）よりも下側の部分が中間室（68）となる。
【０１２２】
本変形例の接続口（66）は、第１ヘッダ集合管（60）のうち副横仕切板（85a）と第１主横仕切板（80a）の間の部分に形成され、混合室（63）に連通している。
【０１２３】
本変形例の縦仕切板（90）では、中間部分（92）のうち副横仕切板（85a）と第１主横仕切板（80a）の間の部分（即ち、混合室（63）に臨む部分）に、二つの流量調節孔（95）が形成されている。この流量調節孔（95）は、混合室（63）を第２連通室（62b）と連通させる。
【０１２４】
本変形例の第１主横仕切板（80a）は、図６(Ｄ)に図示された第１主横仕切板（80a）と同じ形状の部材である。本変形例の第１主横仕切板（80a）には、一つの流量調節孔（81a）が形成されている。この流量調節孔（81a）は、混合室（63）を第３連通室（62c）と連通させる。
【０１２５】
本変形例の第２主横仕切板（80b）は、図６(Ｂ)に図示された第２主横仕切板（80b）と同じ形状の部材である。本変形例の第２主横仕切板（80b）には、三つの接続孔（83b）が形成されている。この接続孔（83b）は、中間室（68）を第１連通室（62a）と連通させる。
【０１２６】
本変形例の副横仕切板（85a）は、図６(Ｃ)に図示された副横仕切板（85a）と同じ形状の部材である。本変形例の副横仕切板（85a）には、一つの流量調節孔（86a）と三つの接続孔（88a）とが形成されている。本変形例の流量調節孔（86a）は、混合室（63）を中間室（68）と連通させる。本変形例の接続孔（88a）は、第２連通室（62b）における副横仕切板（85a）の上側と下側の部分を連通させる。
【０１２７】
《発明の実施形態２》
本発明の実施形態２について説明する。ここでは、本実施形態の室外熱交換器（23）について、実施形態１の室外熱交換器（23）と異なる点を説明する。
【０１２８】
〈室外熱交換器の構成〉
図９に示すように、本実施形態の室外熱交換器（23）は、補助熱交換領域（52）が四つの補助熱交換部（52a〜52d）に区分されている。補助熱交換領域（52）には、下から上に向かって順に、第１補助熱交換部（52a）と、第２補助熱交換部（52b）と、第３補助熱交換部（52c）と、第４補助熱交換部（52d）とが形成されている。また、図示しないが、本実施形態の室外熱交換器（23）は、主熱交換領域（51）が四つの主熱交換部に区分されている。
【０１２９】
実施形態１の室外熱交換器（23）と同様に、本実施形態の室外熱交換器（23）では、補助熱交換部（52a〜52d）と主熱交換部が一対一に対応している。そして、本実施形態の室外熱交換器（23）では、各補助熱交換部（52a〜52d）が対応する主熱交換部と直列に接続される。
【０１３０】
本実施形態の室外熱交換器（23）において、第１補助熱交換部（52a）を構成する扁平管（32）の本数は三本であり、第２補助熱交換部（52b）を構成する扁平管（32）の本数は三本であり、第３補助熱交換部（52c）を構成する扁平管（32）の本数は三本であり、第４補助熱交換部（52d）を構成する扁平管（32）の本数は五本である。
【０１３１】
〈第１ヘッダ集合管の下部の構成〉
本実施形態の第１ヘッダ集合管（60）の下部の構造について、図９〜図１１を適宜参照しながら詳細に説明する。なお、この説明では、第１ヘッダ集合管（60）の側面のうち扁平管（32）側の部分を「前面」とし、第１ヘッダ集合管（60）の側面のうち扁平管（32）とは反対側の部分を「背面」とする。
【０１３２】
図９に示すように、第１ヘッダ集合管（60）の下側空間（62）には、三枚の主横仕切板（80a〜80c）と、二枚の副横仕切板（85a,85b）と、一枚の縦仕切板（90）とが設置されている。この下側空間（62）は、これらの主横仕切板（80a〜80c）、副横仕切板（85a,85b）、及び縦仕切板（90）によって、四つの連通室（62a〜62d）と一つの混合室（63）とに仕切られている。なお、これらの主横仕切板（80a〜80c）、副横仕切板（85a,85b）、及び縦仕切板（90）の材質は、アルミニウム合金である。
【０１３３】
三枚の主横仕切板（80a〜80c）と二枚の副横仕切板（85a,85b）は、いずれも概ね円板状の部材であって、下側空間（62）を横断するように設けられている。つまり、これらの主横仕切板（80a〜80c）と副横仕切板（85a,85b）は、下側空間（62）を上下に仕切っている。これらの主横仕切板（80a〜80c）と副横仕切板（85a,85b）は、ロウ付けによって第１ヘッダ集合管（60）と接合されている。
【０１３４】
第１主横仕切板（80a）は、第１補助熱交換部（52a）と第２補助熱交換部（52b）の境界に配置され、第１連通室（62a）と第２連通室（62b）を仕切っている。第２主横仕切板（80b）は、第２補助熱交換部（52b）と第３補助熱交換部（52c）の境界に配置され、第２連通室（62b）と第３連通室（62c）を仕切っている。第３主横仕切板（80c）は、第３補助熱交換部（52c）と第４補助熱交換部（52d）の境界に配置され、第３連通室（62c）と第４連通室（62d）を仕切っている。
【０１３５】
第１副横仕切板（85a）は、第１主横仕切板（80a）と第２主横仕切板（80b）の間に配置されている。この第１副横仕切板（85a）は、第２補助熱交換部（52b）を構成する三本の扁平管（32）のうち、下から二本目と三本目の間に配置されている。第２副横仕切板（85b）は、第２主横仕切板（80b）と第３主横仕切板（80c）の間に配置されている。この第２副横仕切板（85b）は、第３補助熱交換部（52c）を構成する三本の扁平管（32）のうち、下から一本目と二本目の間に配置されている。
【０１３６】
三枚の主横仕切板（80a〜80c）と二枚の副横仕切板（85a,85b）のそれぞれには、スリット孔（82a,82b,82c,87a,87b）が一つずつ形成されている。図１１に示すように、スリット孔（82a〜82c,87a,87b）は、細長い長方形状の孔であって、横仕切板（80a〜80c, 85a,85b）を厚さ方向に貫通している。スリット孔（82a〜82c,87a,87b）の長辺は、扁平管（32）の端面と実質的に平行である。
【０１３７】
三枚の主横仕切板（80a〜80c）と二枚の副横仕切板（85a,85b）のそれぞれにおいて、スリット孔（82a〜82c,87a,87b）は、第１ヘッダ集合管（60）の中心軸（64）よりも第１ヘッダ集合管（60）の背面寄りに位置している（図１１を参照）。スリット孔（82a〜82c,87a,87b）は、その幅が縦仕切板（90）の厚さとほぼ同じであり、その長さが縦仕切板（90）の幅とほぼ同じである。
【０１３８】
図１１(Ｅ)に示すように、第１主横仕切板（80a）には、三つの接続孔（83a）が形成されている。各接続孔（83a）は、第１主横仕切板（80a）を厚さ方向に貫通する円形の孔である。三つの接続孔（83a）は、スリット孔（82a）よりも第１ヘッダ集合管（60）の背面寄りに配置されている。
【０１３９】
図１１(Ｃ)に示すように、第２主横仕切板（80b）には、一つの切り欠き孔（84b）が形成されている。切り欠き孔（84b）は、第２主横仕切板（80b）の外周縁からその中心へ向かって伸びる矩形状の切欠きである。切り欠き孔（84b）は、スリット孔（82a）よりも第１ヘッダ集合管（60）の背面寄りに配置されている。また、切り欠き孔（84b）は、図１１(Ｃ)における左右方向の幅が、接続口（66）の直径と実質的に等しい。
【０１４０】
図１１(Ａ)に示すように、第３主横仕切板（80c）には、三つの接続孔（83c）が形成されている。各接続孔（83c）は、第３主横仕切板（80c）を厚さ方向に貫通する円形の孔である。三つの接続孔（83c）は、スリット孔（82c）よりも第１ヘッダ集合管（60）の背面寄りに配置されている。
【０１４１】
図１１(Ｂ)及び(Ｄ)に示すように、第１副横仕切板（85a）と第２副横仕切板（85b）のそれぞれには、一つの流量調節孔（86a,86b）と三つの接続孔（88a,88b）とが形成されている。流量調節孔（86a,86b）と各接続孔（88a）は、いずれも副横仕切板（85a,85b）を厚さ方向に貫通する円形の孔である。流量調節孔（86a,86b）は、スリット孔（87a,87b）よりも第１ヘッダ集合管（60）の背面寄りに配置されている。三つの接続孔（88a,88b）は、スリット孔（87a,87b）よりも第１ヘッダ集合管（60）の前面寄りに配置されている。
【０１４２】
縦仕切板（90）は、実施形態１と同様に、縦長の長方形板状に形成されている（図１２を参照）。縦仕切板（90）は、各主横仕切板（80a〜80c）のスリット孔（82a〜82c）と、各副横仕切板（85a,85b）のスリット孔（87a,87b）とに通されている（図９,１１を参照）。実施形態１と同様に、縦仕切板（90）は、第１ヘッダ集合管（60）内の下側空間（62）を縦断し、第１ヘッダ集合管（60）へ差し込まれた扁平管（32）の端面と向かい合っている。
【０１４３】
縦仕切板（90）は、第３主横仕切板（80c）よりも上側の部分が上側部分（91）となり、第３主横仕切板（80c）と第１主横仕切板（80a）の間の部分が中間部分（92）となり、第１主横仕切板（80a）よりも下側の部分が下側部分（93）となっている（図９及び図１０を参照）。
【０１４４】
縦仕切板（90）の中間部分（92）は、下側空間（62）のうち第３主横仕切板（80c）と第１主横仕切板（80a）に挟まれた部分を、第１ヘッダ集合管（60）の前面側と背面側に仕切っている。縦仕切板（90）の中間部分（92）に対して第１ヘッダ集合管（60）の前面側に位置する空間は、第２主横仕切板（80b）によって第２連通室（62b）と第３連通室（62c）に仕切られている。縦仕切板（90）の中間部分（92）に対して第１ヘッダ集合管（60）の背面側に位置する空間は、背面空間（67）である。
【０１４５】
背面空間（67）は、二枚の副横仕切板（85a,85b）によって上下に仕切られている。背面空間（67）は、第１副横仕切板（85a）よりも下側の部分が第１中間室（68a）となり、第２副横仕切板（85b）よりも上側の部分が第２中間室（68b）となり、第１副横仕切板（85a）と第２副横仕切板（85b）の間の部分が混合室（63）となる。つまり、二枚の副横仕切板（85a,85b）は、背面空間（67）を一つの混合室（63）と二つの中間室（68a,68b）に仕切っている。
【０１４６】
このように、混合室（63）は、縦仕切板（90）の中間部分（92）と、第１副横仕切板（85a）と、第２副横仕切板（85b）と、第１ヘッダ集合管（60）の側壁部とによって囲まれている。つまり、第１ヘッダ集合管（60）内では、混合室（63）が縦仕切板（90）の中間部分（92）を挟んで第２連通室（62b）及び第３連通室（62c）と隣り合っている。
【０１４７】
また、第１副横仕切板（85a）は、第１主横仕切板（80a）と第２主横仕切板（80b）の間で且つ第２主横仕切板（80b）寄りに配置され、第２副横仕切板（85b）は、第２主横仕切板（80b）と第３主横仕切板（80c）の間で且つ第２主横仕切板（80b）寄りに配置されている。このため、二枚の副横仕切板（85a,85b）に挟まれた混合室（63）の高さは、第２連通室（62b）の高さよりも低く、第３連通室（62c）の高さよりも低い。
【０１４８】
縦仕切板（90）には、長方形状の開口部（94a,94b）と、円形の流量調節孔（95a,95b）とが二つずつ形成されている。各開口部（94a,94b）と各流量調節孔（95a,95b）は、縦仕切板（90）を厚さ方向に貫通している。
【０１４９】
開口部（94a,94b）は、縦仕切板（90）の上側部分（91）と下側部分（93）とに一つずつ形成されている。上側の開口部（94b）は、縦仕切板（90）の上側部分（91）の大半を占めている。従って、第３主横仕切板（80c）の上側に位置する第４連通室（62d）は、縦仕切板（90）の両側の部分が実質的に一つの空間となっている。下側の開口部（94a）は、縦仕切板（90）の下側部分（93）の大半を占めている。従って、第１主横仕切板（80a）の下側に位置する第１連通室（62a）は、縦仕切板（90）の両側の部分が実質的に一つの空間となっている。
【０１５０】
二つの流量調節孔（95a,95b）は、いずれも縦仕切板（90）を厚さ方向に貫通する円形の孔である。第１流量調節孔（95a）は、縦仕切板（90）の中間部分（92）のうち第２主横仕切板（80b）と第１副横仕切板（85a）の間の部分に形成されている。第２流量調節孔（95b）は、縦仕切板（90）の中間部分（92）のうち第２主横仕切板（80b）と第２副横仕切板（85b）の間の部分に形成されている。また、二つの流量調節孔（95a,95b）は、縦仕切板（90）の幅方向の中心線に沿って上下に並んで配置されている。
【０１５１】
実施形態１と同様に、第１ヘッダ集合管（60）の側壁部には、接続口（66）が形成されている。接続口（66）は、第２主横仕切板（80b）と同じ高さに配置され、混合室（63）に連通している。接続口（66）の中心は、混合室（63）の高さ方向の中央に位置している。
【０１５２】
縦仕切板（90）では、縦仕切板（90）のうち混合室（63）に臨む部分の上端付近と下端付近に流量調節孔（95a,95b）が一つずつ配置されている。一方、接続口（66）の中心は、混合室（63）の高さ方向の中央に位置している。つまり、縦仕切板（90）では、接続口（66）の正面から外れた部分に流量調節孔（95a,95b）が配置されている。
【０１５３】
上述したように、第１副横仕切板（85a）、第２副横仕切板（85b）、及び縦仕切板（90）には、流量調節孔（86a,86b,95a,95b）が形成されている。これら流量調節孔（86a,86b,95a,95b）は、混合室（63）の冷媒を各連通室（62a〜62d）へ所定の割合で分配するための連通用貫通孔である。そして、これら流量調節孔（86a,86b,95a,95b）は、混合室（63）の冷媒を各連通室（62a〜62d）へ所定の割合で分配する分配通路（65）を構成している。
【０１５４】
第１副横仕切板（85a）の流量調節孔（86a）は、第１中間室（68a）を介して混合室（63）を第１連通室（62a）と連通させている。この流量調節孔（86a）の直径は、例えば２ｍｍ程度である。
【０１５５】
第２副横仕切板（85b）の流量調節孔（86b）は、第２中間室（68b）を介して混合室（63）を第４連通室（62d）と連通させている。この流量調節孔（86b）は、第１副横仕切板（85a）の流量調節孔（86a）に比べて、直径が少しだけ大きい。
【０１５６】
縦仕切板（90）の第１流量調節孔（95a）は、混合室（63）を第２連通室（62b）と連通させている。この第１流量調節孔（95a）の直径は、第１副横仕切板（85a）の流量調節孔（86a）の直径と実質的に等しい。
【０１５７】
縦仕切板（90）の第２流量調節孔（95b）は、混合室（63）を第３連通室（62c）と連通させている。この第２流量調節孔（95b）の直径は、第１副横仕切板（85a）の流量調節孔（86a）の直径と実質的に等しい。
【０１５８】
また、上述したように、第１主横仕切板（80a）には、三つの接続孔（83a）が形成されている。第１主横仕切板（80a）の接続孔（83a）は、第１中間室（68a）を第１連通室（62a）と連通させている。各接続孔（83a）は、第１副横仕切板（85a）の流量調節孔（86a）に比べて、直径が大幅に大きい。そして、三つの接続孔（83a）の断面積の合計は、第１副横仕切板（85a）に形成された流量調節孔（86a）の断面積よりも充分に大きな値（例えば１０倍以上）となっている。従って、第１中間室（68a）は、断面積の大きな接続孔（83a）を介して第１連通室（62a）と連通しており、実質的に第１連通室（62a）と一体の空間である。
【０１５９】
また、上述したように、第３主横仕切板（80c）には、三つの接続孔（83c）が形成されている。第３主横仕切板（80c）の接続孔（83c）は、第２中間室（68b）を第４連通室（62d）と連通させている。各接続孔（83c）は、第２副横仕切板（85b）の流量調節孔（86b）に比べて、直径が大幅に大きい。そして、三つの接続孔（83c）の断面積の合計は、第２副横仕切板（85b）に形成された流量調節孔（86c）の断面積よりも充分に大きな値（例えば１０倍以上）となっている。従って、第２中間室（68b）は、断面積の大きな接続孔（83c）を介して第４連通室（62d）と連通しており、実質的に第４連通室（62d）と一体の空間である。
【０１６０】
また、上述したように、第１副横仕切板（85a）は、第１主横仕切板（80a）と第２主横仕切板（80b）の間に配置されている。つまり、第１副横仕切板（85a）は、第２連通室（62b）を横断している。一方、第１副横仕切板（85a）には、三つの接続孔（88a）が形成されている。このため、第２連通室（62b）のうち第１副横仕切板（85a）の上側と下側の部分は、接続孔（88a）を介して互いに連通する。
【０１６１】
第１副横仕切板（85a）の各接続孔（88a）は、縦仕切板（90）の第１流量調節孔（95a）に比べて、直径が大幅に大きい。そして、三つの接続孔（88a）の断面積の合計は、縦仕切板（90）に形成された第１流量調節孔（95a）の断面積よりも充分に大きな値（例えば１０倍以上）となっている。従って、第１副横仕切板（85a）は第２連通室（62b）を横断するように配置されているが、第２連通室（62b）は実質的に一つの空間である。
【０１６２】
また、上述したように、第２副横仕切板（85b）は、第２主横仕切板（80b）と第３主横仕切板（80c）の間に配置されている。つまり、第２副横仕切板（85b）は、第３連通室（62c）を横断している。一方、第２副横仕切板（85b）には、三つの接続孔（88b）が形成されている。このため、第３連通室（62c）のうち第２副横仕切板（85b）の上側と下側の部分は、接続孔（88b）を介して互いに連通する。
【０１６３】
第２副横仕切板（85b）の各接続孔（88b）は、縦仕切板（90）の第２流量調節孔（95b）に比べて、直径が大幅に大きい。そして、三つの接続孔（88b）の断面積の合計は、縦仕切板（90）に形成された第２流量調節孔（95b）の断面積よりも充分に大きな値（例えば１０倍以上）となっている。従って、第２副横仕切板（85b）は第３連通室（62c）を横断するように配置されているが、第３連通室（62c）は実質的に一つの空間である。
【０１６４】
〈室外熱交換器における冷媒の流れ〉
実施形態１と同様に、蒸発器として機能する室外熱交換器（23）へは、気液二相状態の冷媒が供給される。そして、本実施形態の室外熱交換器（23）へ供給された気液二相状態の冷媒は、四つの補助熱交換部（52a〜52d）へ分配される。ここでは、蒸発器として機能する本実施形態の室外熱交換器（23）へ供給された冷媒の流れについて説明する。
【０１６５】
蒸発器として機能する室外熱交換器（23）へ供給される気液二相状態の冷媒は、液側接続管（55）を通って第１ヘッダ集合管（60）内の混合室（63）へ流入する。混合室（63）では、液側接続管（55）から噴出した高流速の冷媒が縦仕切板（90）に衝突し、その冷媒中のガス冷媒と液冷媒が混合される。つまり、混合室（63）内の冷媒が均質化され、混合室（63）内の冷媒の湿り度が概ね均一となる。
【０１６６】
混合室（63）内の冷媒は、各連通室（62a〜62d）へ分配される。上述したように、混合室（63）内の気液二相状態の冷媒は、均質化されている。このため、各連通室（62a〜62d）へ混合室（63）から流入する冷媒の湿り度は、概ね等しい。
【０１６７】
混合室（63）内の冷媒は、第１副横仕切板（85a）の流量調節孔（86a）を通過して第１中間室（68a）へ一旦流入し、その後に第１主横仕切板（80a）の接続孔（83a）を通過して第１連通室（62a）へ流入する。
【０１６８】
また、混合室（63）内の冷媒は、縦仕切板（90）の第１流量調節孔（95a）を通過し、第２連通室（62b）のうち第１副横仕切板（85a）よりも上側の部分へ流入する。第２連通室（62b）のうち第１副横仕切板（85a）よりも上側の部分へ流入した冷媒の一部は、第１副横仕切板（85a）の接続孔（88a）を通過し、第２連通室（62b）のうち第１副横仕切板（85a）よりも下側の部分へ流入する。つまり、縦仕切板（90）の第１流量調節孔（95a）を通過した冷媒は、第２連通室（62b）の全体に行き渡る。
【０１６９】
また、混合室（63）内の冷媒は、縦仕切板（90）の第２流量調節孔（95b）を通過し、第３連通室（62c）のうち第２副横仕切板（85b）よりも下側の部分へ流入する。第３連通室（62c）のうち第２副横仕切板（85b）よりも下側の部分へ流入した冷媒の一部は、第２副横仕切板（85b）の接続孔（88b）を通過し、第３連通室（62c）のうち第２副横仕切板（85b）よりも上側の部分へ流入する。つまり、縦仕切板（90）の第２流量調節孔（95b）を通過した冷媒は、第３連通室（62c）の全体に行き渡る。
【０１７０】
また、混合室（63）内の冷媒は、第２副横仕切板（85b）の流量調節孔（86b）を通過して第２中間室（68b）へ一旦流入し、その後に第３主横仕切板（80c）の接続孔（83c）を通過して第４連通室（62d）へ流入する。
【０１７１】
本実施形態の室外熱交換器（23）では、混合室（63）から各連通室（62a〜62d）への冷媒の分配割合が所定の割合となるように、分配通路（65）を構成する流量調節孔（86a,86b,95a,95b）の大きさが設定されている。具体的に、本実施形態の室外熱交換器（23）では、補助熱交換部（52a〜52d）を構成する各扁平管（32）へ流入する冷媒の質量流量が実質的に等しくなるように、混合室（63）から各連通室（62a〜62d）への冷媒の分配割合が設定される。
【０１７２】
従って、本実施形態の室外熱交換器（23）では、混合室（63）から第１連通室（62a）へ流入する冷媒の質量流量と、混合室（63）から第２連通室（62b）へ流入する冷媒の質量流量と、混合室（63）から第３連通室（62c）へ流入する冷媒の質量流量とが、互いに実質的に等しく、混合室（63）から第４連通室（62d）へ流入する冷媒の質量流量が、混合室（63）から第１連通室（62a）へ流入する冷媒の質量流量よりも多い。
【０１７３】
第１ヘッダ集合管（60）の各連通室（62a〜62d）へ流入した冷媒は、対応する補助熱交換部（52a〜52d）の各扁平管（32）へ分配される。その後、冷媒は、各補助熱交換部（52a〜52d）と、それに対応する主熱交換部とを順に通過し、実質的にガス単相状態となって室外熱交換器（23）から流出してゆく。
【０１７４】
−実施形態２の効果−
本実施形態によれば、実施形態１と同様の効果が得られる。つまり、本実施形態の室外熱交換器（23）では、第１ヘッダ集合管（60）に設けられた二枚の副横仕切板（85a,85b）と縦仕切板（90）によって混合室（63）が形成され、混合室（63）へ流入した気液二相状態の冷媒が縦仕切板（90）と衝突することによって撹拌される。従って、本実施形態によれば、混合室（63）から各連通室（62a〜62d）へ分配される冷媒の湿り度を平均化でき、連通室（62a〜62d）に連通する各扁平管（32）へ流入する冷媒の湿り度を平均化することが可能となる。
【０１７５】
また、本実施形態の第１ヘッダ集合管（60）では、二枚の副横仕切板（85a,85b）の間に混合室（63）が形成されており、混合室（63）の高さが第２連通室（62b）及び第３連通室（62c）の高さよりも低く抑えられている。従って、本実施形態によれば、三枚の主横仕切板（80a〜80c）によって第１ヘッダ集合管（60）内に四つの連通室（62a〜62d）が形成される場合でも、混合室（63）の高さを低く抑えることによって、混合室（63）内の気液二相状態の冷媒を確実に均質化することが可能となる。
【０１７６】
《その他の実施形態》
−第１変形例−
上述したように、実施形態１の室外熱交換器（23）では、第２主横仕切板（80b）と副横仕切板（85a）のそれぞれに、円形の接続孔（83b,88a）が三つずつ形成されている（図６(Ｂ)(Ｃ)を参照）。また、実施形態２の室外熱交換器（23）では、第１主横仕切板（80a）と第３主横仕切板（80c）と第１副横仕切板（85a）と第２副横仕切板（85b）のそれぞれに、円形の接続孔（83a,83c,88a,88b）が三つずつ形成されている（図１１(Ａ)(Ｂ)(Ｄ)(Ｅ)を参照）。
【０１７７】
しかし、これらの横仕切板（80a〜80c,85a,85b）に形成された接続孔（83a〜83c,88a,88b）の形状と数は、単なる一例である。つまり、これらの横仕切板（80a〜80c,85a,85b）に形成された接続孔（83a〜83c,88a,88b）は、流量調節孔（81a,86a,86b,95,95a,95b）に比べて断面積が充分に大きな貫通孔であればよい。例えば、図１３に示すように、実施形態１の第２主横仕切板（80b）と副横仕切板（85a）のそれぞれには、長円形の接続孔（83b,88a）が一つずつ形成されていてもよい。
【０１７８】
−第２変形例−
上述したように、各実施形態の室外熱交換器（23）では、補助熱交換部（52a〜52d）を構成する各扁平管（32）へ流入する冷媒の質量流量が実質的に等しくなるように、流量調節孔（81a,86a,86b,95,95a,95b）の開口面積が設定されている。しかし、補助熱交換部（52a〜52d）を構成する全ての扁平管（32）について、そこへ流入する冷媒の質量流量を均一にする必要は無い。
【０１７９】
つまり、各実施形態の室外熱交換器（23）では、例えば、混合室（63）から第１連通室（62a）へ流入する冷媒の質量流量が、混合室（63）から第２連通室（62b）へ流入する冷媒の質量流量よりも多くなるように、流量調節孔（81a,95,86a,95a）の開口面積が設定されていてもよい。各実施形態の室外熱交換器（23）では、第１連通室（62a）と第２連通室（62b）のそれぞれに三本の扁平管（32）が連通している。従って、この場合は、第１連通室（62a）に連通する各扁平管（32）へ流入する冷媒の質量流量が、第２連通室（62b）に連通する各扁平管（32）へ流入する冷媒の質量流量よりも多くなる。
【０１８０】
−第３変形例−
上述したように、各実施形態の室外熱交換器（23）には、板状のフィン（36）に代えて波形のフィンが設けられていてもよい。このフィンは、いわゆるコルゲートフィンであって、上下に蛇行する波形に形成されている。そして、この波形のフィンは、上下に隣り合った扁平管（31,32）の間に一つずつ配置される。
【産業上の利用可能性】
【０１８１】
以上説明したように、本発明は、複数の扁平管がヘッダ集合管に接続された熱交換器について有用である。
【符号の説明】
【０１８２】
23    室外熱交換器
31    扁平管
32    扁平管
36    フィン
51    主熱交換領域
51a   第１主熱交換部
51b   第２主熱交換部
51c   第３主熱交換部
52    補助熱交換領域
52a   第１補助熱交換部
52b   第２補助熱交換部
52c   第３補助熱交換部
52d   第４補助熱交換部
60    第１ヘッダ集合管
62a   第１連通室
62b   第２連通室
62c   第３連通室
62d   第４連通室
63    混合室
64    中心軸
66    接続口
70    第２ヘッダ集合管
80a   第１主横仕切板
80b   第２主横仕切板
80c   第３主横仕切板
81a   流量調節孔（連通用貫通孔）
85a   第１副横仕切板、副横仕切板
85b   第２副横仕切板
86a,86b     流量調節孔（連通用貫通孔）
90    縦仕切板
95,95a,95b  流量調節孔（連通用貫通孔）
【図１】
2014228199.tif 000003
【図２】
2014228199.tif 000004
【図３】
2014228199.tif 000005
【図４】
2014228199.tif 000006
【図５】
2014228199.tif 000007
【図６】
2014228199.tif 000008
【図７】
2014228199.tif 000009
【図８】
2014228199.tif 000010
【図９】
2014228199.tif 000011
【図１０】
2014228199.tif 000012
【図１１】
2014228199.tif 000013
【図１２】
2014228199.tif 000014
【図１３】
2014228199.tif 000015